【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
導電性の第１のメッシュであって、前記電極にわたって繰り返し、前記第１のメッシュの２次元の規則的配列を形成し、複数の導電性のクローズセルを含み、それぞれの前記クローズセルが、複数の導電性トレースを接続する複数の頂点を含む、導電性の第１のメッシュと、
前記第１のメッシュとは異なる導電性の第２のメッシュであって、複数の導電性のクローズセルを含み、それぞれの前記クローズセルが、複数の導電性トレースを接続する複数の頂点を含む、導電性の第２のメッシュと、を含み、
前記第１及び第２のメッシュのうちの少なくとも１つの、それぞれの前記クローズセル内の前記複数の頂点のうちそれぞれの前記頂点が不規則に配置されている、
連続導電性電極。
【請求項２】
前記第１のメッシュが前記第１のメッシュの外周に複数のオープンセルを含み、前記複数のオープンセルの少なくとも１つのオープンセルについて、少なくとも１つの方向に沿って直線的に移動されると前記第１のオープンセルと結合して結合クローズセルを形成する、異なる第２のオープンセルが、前記複数のオープンセルに存在する、請求項１に記載の連続導電性電極。
【請求項３】
前記第１のメッシュの前記クローズセルの過半数のそれぞれが少なくとも０．０２のラジアル変動係数を有し、前記ラジアル変動係数が、クローズセルの前記複数の頂点の重心からの前記クローズセルの前記複数の頂点への半径方向距離の標準偏差を前記半径方向距離の平均値で除算したものである、請求項１に記載の連続導電性電極。
【請求項４】
前記第１のメッシュの前記クローズセルの過半数のそれぞれが少なくとも０．０２のペリメトラル変動係数を有し、前記ペリメトラル変動係数が、クローズセルの複数の頂点のうち隣接する頂点間の距離の標準偏差を前記距離の平均値で除算したものである、請求項１〜３のいずれか一項に記載の連続導電性電極。
【請求項５】
前記第１のメッシュの前記クローズセルの過半数のそれぞれが少なくとも０．０２の複合変動係数を有し、前記複合変動係数がラジアル変動係数とペリメトラル変動係数の合計であり、前記ラジアル変動係数が、前記クローズセルの前記複数の頂点の重心からの前記複数の頂点への半径方向距離の標準偏差を前記半径方向距離の平均値で除算したものであり、前記ペリメトラル変動係数が、前記クローズセルの前記複数の頂点のうち隣接する頂点間の距離の標準偏差を前記距離の平均値で除算したものである、請求項１に記載の連続導電性電極。
【請求項６】
前記第１のメッシュの前記クローズセルの複合変動係数の分布の９０パーセンタイル値が０．１〜１．０５の範囲にあり、前記複合変動係数がラジアル変動係数とペリメトラル変動係数の合計であり、前記ラジアル変動係数が、クローズセルの複数の頂点の重心からの前記複数の頂点への半径方向距離の標準偏差を前記半径方向距離の平均値で除算したものであり、前記ペリメトラル変動係数が、前記クローズセルの前記複数の頂点のうち隣接する頂点間の距離の標準偏差を前記距離の平均値で除算したものである、請求項１に記載の連続導電性電極。
【請求項７】
連続導電性タイル状電極であって、第１の方向に沿って配置され、隣接するタイルの第１の複数のペアを含む第１の複数のタイルを含み、前記隣接するタイルの第１の複数のペアの、隣接するタイルのそれぞれのペアが、共通境界と、同じ数の不規則に配置された導電性トレースとを含み、それぞれの導電性トレースが交差点で前記共通境界を横切って延び、前記交差点で連続性の１次導関数を有する、連続導電性タイル状電極。
【請求項８】
前記第１の複数のタイルのうちそれぞれのタイルが、隣接するタイルとの前記共通境界に沿って複数の導電性オープンセルを含む、請求項７に記載の連続導電性タイル状電極。
【請求項９】
前記第１の複数のタイルのうちそれぞれのタイル内の少なくとも１つのオープンセルが、前記共通境界で隣接するタイルのオープンセルと結合して、結合クローズセルを形成する、請求項８に記載の連続導電性タイル状電極。
【請求項１０】
前記第１の複数のタイルのうち、それぞれのタイルが、前記タイルの外周に沿って複数のオープンセルを含み、前記外周にあるそれぞれの第１のオープンセルについて、第１の方向に沿って直線的に平行移動されると前記第１のオープンセルと結合して複数の不規則に配置された頂点を含む結合クローズセルを形成する、異なる第２のオープンセルが前記外周に存在する、請求項７に記載の連続導電性タイル状電極。
【請求項１１】
導電性の第１のメッシュであって、電極にわたって繰り返し、前記第１のメッシュの２次元の規則的配列を形成し、複数の導電性のクローズセルを含む第１のメッシュを含み、前記複数のクローズセルの過半数のクローズセルのそれぞれが複数の導電性の湾曲したトレースを接続する複数の不規則に配置された頂点を含む、連続導電性電極。
【請求項１２】
前記第１のメッシュが前記第１のメッシュの外周に複数のオープンセルを含み、前記複数のオープンセルの少なくとも１つの第１のオープンセルについて、第１の方向に沿って直線的に平行移動されると、前記第１のオープンセルと結合して結合クローズセルを形成する、異なる第２のオープンセルが、前記複数のオープンセルに存在する、請求項１１に記載の連続導電性電極。
【請求項１３】
複数の導電性トレースを接続する複数の頂点を含み、前記メッシュが、連続的な２次元グリッドを形成する同じサイズ及び形状の複数のグリッドセルに分割可能であり、それぞれのグリッドセルの外周が、前記複数の頂点のうちどの頂点も通過せずに、前記複数の導電性トレースのうち複数の不規則に配置された導電性トレースと交差する、連続導電性メッシュ。
【請求項１４】
少なくとも第１の方向に沿って繰り返し並べられ、連続的なタイル状メッシュを形成するように構成されたメッシュタイルであって、
外周と、
前記外周の内側および外側において、複数のトレースを接続する複数の頂点をそれぞれが含む、複数のクローズセルと、
前記外周で終端する少なくとも１つのトレースをそれぞれが含む、前記外周に沿った複数のオープンセルであって、前記メッシュタイルが少なくとも前記第１の方向に繰り返し並べられて少なくとも前記第１の方向に沿ったタイル状メッシュを形成するときに、それぞれの前記外周の一部が互いに重なって前記隣接するメッシュタイルの共通境界を形成する、隣接するタイルのそれぞれのペアについて、前記隣接するメッシュタイルの前記共通境界において対応するオープンセルの少なくとも複数のペアのそれぞれが結合して対応する結合クローズセルを形成し、少なくとも複数の結合クローズセルのそれぞれについて、前記結合クローズセルが複数の不規則に配置された頂点を有する、オープンセルと、
を含む、メッシュタイル。
【請求項１５】
少なくとも第１の方向に沿って繰り返し並べられ、連続的なタイル状メッシュを形成するように構成されたメッシュタイルであって、
外周と、
前記外周の内側および外側において、複数のトレースを接続する複数の頂点をそれぞれが含む、複数のクローズセルと、
前記外周で終端する少なくとも１つのトレースをそれぞれが含む、前記外周に沿った複数のオープンセルであって、前記外周に沿った前記複数のオープンセルのそれぞれの第１のオープンセルについて、少なくとも１つの方向に沿って直線的に平行移動されると前記第１のオープンセルと結合して複数の不規則に配置された頂点を含む結合クローズセルを形成する、異なる第２のオープンセルが、前記外周に沿った前記複数のオープンセルに存在する、複数のオープンセルと、
を含む、メッシュタイル。